(57)【要約】【課題】カートリッジを交換すべき時期を評価する際にユーザが考慮する時間を定めることができ、にシェービング補助材の追加的な量を皮膚に提供するガード構造を備えたシェービング装置を提供する。【解決手段】ハウジング１０と、ハウジング１０に取り付けられた刃２，３と、刃３の後方に配置されたキャップ６と、刃２の前方に配置されたガード構造４とを有し、ガード構造４は、皮膚にシェービング補助剤を供給する水溶性シェービング補助材２４を含み、キャップ６は、刃にシェービング補助剤を供給する水溶性シェービング補助材３６を含み、各水溶性シェービング補助合材２４，３６は使用インジケータを有する。【選択図】図３
2007229513.tif 000002
【特許請求の範囲】
【請求項１】
ハウジングと、
前記ハウジングに取り付けられた１つまたはそれ以上の刃と、
前記ハウジングの前記刃の後方に配置されたキャップと、
前記ハウジングの前記刃の前方に配置されたガード構造とを有し、
前記ガード構造は、前記刃の前方のユーザの皮膚にシェービング補助剤を供給するように配置された第１の水溶性シェービング補助材を含み、
前記キャップは、前記刃にシェービング補助剤を供給するように配置された第２の水溶性シェービング補助材を含み、
前記第１および第２の水溶性シェービング補助材は、第１および第２の使用インジケータを有することを特徴とするシェービング装置。
【請求項２】
前記第１および第２の使用インジケータは、異なる速度の使用指示機能を有する有することを特徴とする請求項１に記載のシェービング装置。
【発明の詳細な説明】
【技術分野】
【０００１】
本発明は、カートリッジを交換すべき時期を評価する際にユーザが考慮する時間を定めることができるガード構造を備えたシェービング装置に関する。
【背景技術】
【０００２】
交換可能なシェービングカートリッジおよび使い捨てカミソリでは、１つまたはそれ以上の刃がプラスチック製のハウジング内に固定されている。刃の前方面はガードとして知られ、刃の後方面はキャップとして知られている。
【０００３】
ガードは、刃の前方の皮膚に係合し広げるような構造を備え、キャップは、皮膚上ですべるように構成されている。いくつかの場合、水をこしとることができる潤滑ストリップを備えている。
【０００４】
国際特許出願公開ＷＯ９６／０１１７１号には、先行技術の特許として開示された種々の刃の組立体の種々の形態のガード、キャップおよび刃が示されている。例えば、米国特許５，２４９，３６１号には、上方に突出した複数の突出部を備えた弾性材料の上方皮膚係合部分と、カートリッジハウジングに固定された硬質プラスチック材料の下方ベース部分とを備えた２つの部分からなる成形ガード構造が示されている。
【０００５】
他のガード構造は、米国特許第５，１９１，７１２号に示されている。米国特許第５，０５６，２２２号には、ばね偏寄された金属ハウジング部材を刃の前方に備えたシェービングカートリッジが示されている。このシェービングカートリッジは、金属ウエブの間に露出された、水をこしとることができる材料を含み、金属ハウジング部材の異なる位置に皮膚張力付与構造を有する。
【発明の開示】
【課題を解決するための手段】
【０００６】
本発明のシェービング装置は、ハウジングと、ハウジングに取り付けられた１つまたはそれ以上の刃と、ハウジングに設けた刃の後方に配置されたキャップと、ハウジングに設けた刃の前方に配置されたガード構造とを有し、ガード構造は、１つまたはそれ以上の刃の前方のユーザの皮膚にシェービング補助剤を供給するように配置された第１の水溶性シェービング補助剤を含み、キャップは、１つまたはそれ以上の刃にシェービング補助剤を供給するように配置された第２の水溶性シェービング補助材を含み、第１および第２の水溶性シェービング補助材は第１および第２の使用インジケータを有する構成である。
【０００７】
本発明のシェービング装置に設けられた第１および第２の使用インジケータは、使用の関数として摩損による外観上の異なる変化率を有する。
【発明の効果】
【０００８】
本発明によれば、カートリッジを交換すべき時期を評価する際にユーザが考慮する時間を定めることができ、シェービング補助材の追加的な量を皮膚に提供することができ、切り傷を少なくし、潤滑性を改良し、そり心地を改良することができる。
【発明を実施するための最良の形態】
【０００９】
以下、本発明によるシェービング装置の実施形態について、添付の図面を参照しながら説明する。  
図１を参照すると、細長いカミソリカーリッジ１が示されている。このタイプの商業的なカミソリ刃カートリッジは、市場においてよく見られるタイプである。
【００１０】
カミソリカーリッジ１は、１つまたはそれ以上のばね偏寄された刃２，３と、下方ベース部材８および２つの端部ユニット５および５′からなる剛性プラスチックハウジング１０とを有する。ベース部材８は、弧状面９を有する。ベース部材８は、ベース８上の他の構造と共に、ハンドル（図示せず）に対するシェル支持枢着接続部を提供する。
【００１１】
各刃２，３は、ばねまたは他の可動部材上に支持され、刃２，３の縁部が顔の輪郭に適合するようになっている。ガード構造４は、第１の刃２の前方にあり、キャップ６は、第２の刃３の後方にある。キャップ６は、非水溶性ポリマーマトリクス（高衝撃ポリスチレン）と、水溶性シェービング補助剤（ポリエチレンオキシド）とを含むシェ−ビング補助材であることが好ましい。このシェ−ビング補助剤は、シェービングする間にシェービングのそり心地を向上するようにシェ−ビング補助材から溶け出す。
【００１２】
図２を参照すると、ガード構造４が示されており、このガード構造４は、可撓性材料から成形された構成部材２０と、剛性プラスチック材料から成形された剛性ベース２２と、剛性ベース２２に取り付けられた水溶性シェービング補助材２４と、剛性ベース２２に取り付けられたバックストップ部材２８とを含む。構成部材２０は、前部に３つの平行な可撓性フィン２６を有する。これらフィン２６は、シェーバの皮膚に係合するようにシェービング補助材２４の上面より上方に延びている。バックストップ部材２８は、構成部材２０と同じ材料でつくられるか、剛性ベース２２と同じ材料でつくることができ、またそれと一体的に形成することができる。
【００１３】
水溶性シェービング補助材２４は、フィン２６とバックストップ部材２８との間に配置され、接着剤によって剛性ベース２２に固定される。構成部材２０およびバックストップ部材２８は、剛性ベース部材２２に射出成形手段によって形成される。剛性ベース部材２２は、ガード構造４をハウジング２０のベース部材８に固定し、例えば、米国特許第５，２４９，３６１号に説明されるような相互固定構造を含む。
【００１４】
図３を参照すると、他のガード構造３０が示されている。このガード構造３０は、剛性ベース３４の前方に取り付けられた可撓性フィン部材３２と、剛性ベース３４の後方に取り付けられた水溶性シェービング補助材３６を有する。水溶性シェービング補助材３６は、剛性ベース３４に接着剤によって固定される。可撓性フィン部材３２は、成形手段によって剛性ベース３４に固定される。可撓性フィン部材３２は、３つのフィン３８を有する。これら３つのフィン３８は、シェービング補助材３６の上面より上方に延びている。
【００１５】
図４を参照すると、他のガード構造４０が示されている。このガード構造４０は、可撓性部材４２と、剛性ベース４４と、水溶性シェービング補助材４６と、バックアップ部材５０とを有する。可撓性部材４２は、その前方に３つの可撓性フィン４８を有する。バックストップ部材５０は、露出した４つの第１の刃２を形成している。水溶性シェービング補助材４６は、剛性ベース４４の溝５４に固定された拡大底部５２を有する。溝５４は、狭い開口部を有する。溝５４の開口部は、水溶性シェービング補助材４６の拡大底部５２を機械的係合によって溝５４に固定する。バックストップ部材５０は、可撓性部材４２と同じ材料からつくることができ、または剛性ベース４４と同じ材料でつくることができ、または、それと一体的に形成することができる。
【００１６】
図５を参照すると、他のガード構造５０が示されている。このガード構造５０は、水溶性シェービング補助材５２を有する。シェービング補助材５２は、バックアップ部材５５の空洞５４内に収容され、溝５６は、シェービング補助材５２から可撓性皮膚係合フィン５８の後方位置まで延びている。参考として引用する米国特許出願第０８／４９７，１９４号には、空洞および溝の形状および材料を説明している。
【００１７】
また、ガード構造５０は、剛性ベース部材６０と可撓性材料部材６２を有し、可撓性材料部材６２はフィンを有している。バックストップ部材５５は、可撓性材料部材６２と同じ材料からつくることができ、または剛性ベース６０と同じ材料でつくることができ、それと一体的に形成することができる。
【００１８】
エラストマー突出部（ここでフィン）は、ここに参考例として示す米国特許第５，１９１，７１２号に示されたものを含む異なる寸法および形状を有する。特に、突出部は、刃に関して、例えば、ヘリングボーン形またはチェッカーボード形のような異なる角度を向いたフィンセグメントの形である。また、突出部は、刃に平行の列に配置された間隔を置くフィンセグメントの形または刃に平行および刃に直角の双方の列に配置された間隔を置くフィンセグメントの形をとる。
【００１９】
剛性ベース２２，３４，４４，６０は、熱可塑性材料、例えば、ポリスチレン、高衝撃ポリスチレン、ポリプロピレン、ポリエチレン、アクリロニトリル・ブタジエンスチレン（ＡＢＳ）、ポリカーボネート、ポリウレタン、ナイロンおよびノリルからつくられることが好ましい。可撓性部材２０，３２，４２は、熱可塑性エラストマー（ＴＰＥ）またはゴムから製造されることが好ましく、熱可塑性エラストマーは、例えば、天然ゴム、ブチルゴム、ニトリルゴム、スチレンブタジエンゴム、スチレン・ブタジエンスチレン（ＳＢＳ），スチレン・エチレン・ブタジエン・スチレン（ＳＥＢＳ）ＴＰＥ(例えば、Kraton)、ポリエステルＴＰＥ （例えば、Hytrel），ポリアミドＴＰＥ（Pebax），ポリウレタンＴＰＥ，ポリ オレフィンベースＴＰＥおよびこれらのＴＰＥの混合物（例えば、ポリエステル／ＳＥＢブレンド）を含む。
【００２０】
シェービング補助材２４，３６，４６，５２は、好ましくは、非水溶性ポリマーのマトリクスと、このマトリクス内に分散された皮膚潤滑性の水溶性ポリマーを含む。別の例として、シェービング補助材は、皮膚潤滑性の水溶性ポリマーを含むコアを包囲する非水溶性ポリマーのシース（例えば、図５の部材に設けた空洞）を有する。
【００２１】
マトリクス（またはシース）として使用できる適当な非水溶性ポリマーは、ポリエチレン、ポリプロピレン、ポリスチレン、ブタジエンスチレン共重合体（例えば、中間および高衝撃ポリスチレン）、ポリアセタール、アクリルニトリル・ブタジエン・スチレン共重合体、エチレンビニルアセテート共重合体、ポリプロピレン／ポリスチレン混合物のような混合物、最も好ましくは、Mobil４３２４ （モービル社）のような高衝撃ポリスチレン（すなわち、ポリスチレンーブタジエン）を含む。
【００２２】
適当な皮膚潤滑性の水溶性ポリマーは、ポリエチレン・オキシド、ポリビニル・ピロリドン、ポリアクリルアミド、ヒドリキシ・プロピルセルロース、ポリビニル・イミダゾリン、およびポリヒドロキシエチルメタクリレートを含む。最も好ましい水溶性ポリマーは、ユニオンカーバイド社から市販されているＰＯＬＹＯＸまたは日本の京都のメイセイ化学社から市販されているＡＬＫＯＸとして知られているポリエチレンオキシドである。これらのポリエチレン・オキシドは、約１００，０００ないし６，０００，０００、もっとも好ましくは３００，０００ないし５，０００，０００の分子重量を有する。もっとも好ましいポリエチレンオキシドは、約５，０００，０００の平均分子重量を有する約４０ないし８０％のポリエチレンオキシド（例えば、POLYOXCOAGULANT）および約３００，０００の平均分子重量を有する約６０ない し２０％のポリエチレンオキシド（例えば、POLYOX WSR-N-750）を含む。ポリエチレンオキシド混合物は、ＰＥＧ−１００のような低分子重量（すなわち、ＭＷ＜１０，０００）ポリエチレングリコールの重量の約１０％まで含むことが有利である。
【００２３】
また、シェービング補助材は、シクロデキストリン、（例えば、１−１０％の重量の）ポリエチレングリコールのような低分子重量の水溶性リリース剤、（例えば２−７％の重量の）クロスリンクポリアクリルのような水膨張可能なリリース剤、冷却剤、参加防止剤、保存剤、微生物殺菌剤、ひげ柔軟剤、アストリンゼン、脱毛剤、医薬品、コンディショニング剤、冷却剤等の含有複合剤を含むことができる。
【００２４】
特に好ましい実施例は、クレイトンＧ貿易の名称またはＣフレックス貿易の名称で市販されているＳＥＢＳをベースとしたＴＰＥのポリプロピレン、可撓性部材の剛性ベースと、約３５％の高衝撃ポリスチレンと、約５５％のポリエチレンオキシドと、約１０％のポリエチレングリコールのシェービング補助材とを有する。
【００２５】
ガード構造は、二色の射出成形手段によって製造することができる。まず、ポリプロピレン剛性ベースが約２００−２３０℃の成形温度で成形され、次に約２００−２３０℃の成形温度でＳＥＢＳベースＴＰＥフィン部材がポリプロピレン剛性ベースの上に成形される。シェービング補助材が通常の処理条件でＨａａｋｅＨＢＩ装置９０を使用してポリエチレンオキシド（ＰＥＯ）を押し出すことによってつくられる。
【００２６】
別の例として、３つの部材（または３つの部材の内の２つの部材）を共押し出しによってつくることができ、または別々につくられた部材を接着剤で接着することつくることができる。
【００２７】
使用において、可撓性フィン２６．３８，４８，５８は、まずユーザの皮膚に係合し、皮膚を広げ、シェービングするひげを引く。可撓性フィンは、皮膚に入り込み、毛穴から毛を外側に引き出し、ひげを繰り返しつかんで把持し、解放し、皮膚との接触によって下端で毛を保持する。可撓性フィンは、スクイージとして作用し、顔の余分の液体を除去し、望ましい感触を提供する。
【００２８】
シェービング補助材２４，３６，４６，５２は、ひげが刃によって切断される前に、広がった皮膚およびひげに潤滑剤を提供する。シェービング補助材２４，３６，４６は、繰り返し使用することによって形状が変化し摩耗する。図２，４及び５に説明する実施例によって、バックストップ部材２８，５０は、繰り返し使用することによって生じるシェービング補助材２４または４６の形状の変化には無関係に第１の刃の露出を定めるために永久的な表面を提供する。
【００２９】
前述したような改良されたガード構造を備えたシェービング装置は、切り傷を低減し、密着感と潤滑性を改良し、そり心地を改良する。また、カミソリを濡れた角部分に配置したとき、角面にガード構造がはりつく傾向を小さくする。特別な充填流れ材料によって、使用すべき充填流れ材料を追加することを可能にする。
【００３０】
本発明の特徴および利点は、つぎのガード構造の例によって示されるが、特別の材料およびその量並びに他の条件及びその詳細は、本発明を制限すべきではない。
【００３１】
実施例
ガード構造は、ポリプロピレン（Ａｍｏｃｏプロピレン７６３５）の剛性支持体から製造される。可撓性フィンとバックストップは、ＳＥＢＳ（ＧＬＳ）Ｅｌｌａｓｔｌｌｏｙ６５４５から製造される。シェービング補助材は、下記するＰＥＯ混合物の複合材から製造される。
ポリエチレン・オキシド
（ユニオン・カーバイド・PolyoxＮ750）     ２２％
ポリエチレン・オキシド               ３３％
（ユニオン・カーバイド・Polyox・コアグラント）
高衝撃ポリスチレン                    ３３％
（モビルＨＩＰＳ４３２４）  
ポリチレングリコール                  １０％  
（ダウ  ＰＥＧ４５００）
他の添加物                              ２％
【００３２】
二色の射出成形機械が、剛性支持体と、可撓性フィンと、可撓性バックストップをつくるために使用される。ポリプロピレン部分がまず成形され、フィンおよび可撓性バックストップがポリプロピレン支持体の上に成形される。ポリプロピレンの成形温度は、約２００ないし２３０℃であり、ＳＥＢＳの成形温度は、約２００ないし２２０℃である。ＰＥＯ混合物は、約１８０ないし２００℃でＨａａｋｅＨＢＩシステム９０を使用した必要な輪郭に押し出される。押し出されたＰＥＯ混合物は所定の長さに切断され、シェービング補助材片は、成形部材に接着される。
【００３３】
図６を参照すると、カミソリカートリッジ１００は、ハウジング１０２を有し、ハウジング１０２の上にガード構造１０４と、第１および第２のばね押圧された刃１０６，１０８およびキャップ潤滑ストリップ１１０が取り付けられている。ガード構造１０４は、ハウジング１０２に固定された剛性ベース１１２を含み、この剛性ベース１１２は、可撓性皮膚係合突出部分１１４を有する。水溶性シェービング補助材１１６およびバックストップ部材１１８は、剛性ベース１１２に取り付けられている。バックストップ部材１１８は、カートリッジの第１の刃１０６における刃の露出を定める。
【００３４】
図７を参照すると、カミソリカートリッジ１２０は、ハウジング１２４を含み、このハウジング１２４に、ガード構造１２６、第１および第２のばね偏寄刃１０６，１０８と、キャップ潤滑ストリップ１１０とを有する。ガード構造１２６は、ハウジング１２４の前方支持部分１２８と、ベース１３１に取り付けられたフィン部材１３０とを有する。フィン部材１３０は、ベース１３１と共押出しすることで成形される。
【００３５】
別の例として、ベース１３１は、ハウジング１２４の一部の前方支持部分１２８として一体的に形成される。フィン部材１３０は、ハウジング１２４に二色成形手段により成形される。ガード構造１２６は、ハウジング部材１２８に取り付けられた水溶性シェービング補助材１３２を含む。
【００３６】
また、ガード構造１２６は、ハウジング部材１２８に取り付けられるとともにカートリッジ１２０の第１の刃１０６の刃の露出を定めるバックストップ部材１３４を含む。別の例として、バックストップ部材１３４は、ハウジング部材１２８の一部としてつくることができ、この場合、バックストップ部材１３４は、フィン部材１３０と同じ材料でつくることができる。この場合、バックストップ部材１３４およびフィン部材１３０は、二色成形手段により成形することができる。
【００３７】
図８を参照すると、カミソリカートリッジ１２２は、ハウジング１２４を含み、このハウジング１２４に、ガード構造１２７、第１および第２のばね偏寄刃１０６，１０８と、キャップ潤滑ストリップ１１０とを有する。ガード構造１２７は、ハウジング１２４の前方支持部分１２８と、ベース１３１に取り付けられたフィン部材１３０とを有する。フィン部材１３０は、ベース１３１と共押出しすることで成形される。
【００３８】
別の例として、ベース１３１は、ハウジング１２４の一部１２８として一体的に形成される。フィン部材１３０は、ハウジング１２４に二色成形される。
【００３９】
また、ガード構造１２７は、ハウジング１２４の一部１２８に取り付けられた水溶性シェービング補助材３２を含む。
【００４０】
前述した例において、刃の前方の水溶性シェービング補助材および刃の後方の水溶性シェービング補助材は、第１および第２の色付けされた使用インジケータを有する。使用インジケータは、使用するにつれて外観を変化させる。第１および第２の使用インジケータは、使用の関数として外観の変化が異なる割合を有する。ここに参考として示す米国特許第３，８７９，８４４号、米国特許第５，３４０，５８１号および国際特許出願公開ＷＯ９６０４１１２及びＷＯ９６０１１７２は、このような使用インジケータを説明している。これは、カートリッジを交換すべき時期を評価する際にユーザが考慮する時間を定めるために使用するのに有利である。
【図面の簡単な説明】
【００４１】
【図１】本発明によるガード構造を備えたシェービング装置の斜視図である。
【図２】図１のシェービング装置のガード構造の断面図である。
【図３】図１のシェービング装置のガード構造の他の実施例を示す図である。
【図４】図１のシェービング装置のガード構造の他の実施例を示す図である。
【図５】図１のシェービング装置のガード構造の他の実施例を示す図である。
【図６】本発明による他のガード構造を備えたカートリッジの断面図である。
【図７】本発明による他のガード構造を備えたカートリッジの断面図である。
【図８】本発明による他のガード構造を備えたカートリッジの断面図である。
【符号の説明】
【００４２】
２  刃
３  刃
４  ガード構造
６  キャップ
１０  ハウジング
２４  水溶性シェービング補助材
３６  水溶性シェービング補助材
【図１】
2007229513.tif 000003
【図２】
2007229513.tif 000004
【図３】
2007229513.tif 000005
【図４】
2007229513.tif 000006
【図５】
2007229513.tif 000007
【図６】
2007229513.tif 000008
【図７】
2007229513.tif 000009
【図８】
2007229513.tif 000010